(57)【要約】【課題】通信ネットワークの伝送状態を示す指標値を、各チャネルと関連付けて目視で確認することを可能にする。【解決手段】本発明の伝送状態表示装置１によれば、通信ネットワークを介して送信されたフレームを受信するフレーム受信部１Ａ１〜１Ａｎと、当該受信されたフレーム内に含まれるポインタの値をフレーム内から読み出すＨ１・Ｈ２バイト検出部１Ｅと、当該読み出したポインタの値を各チャネルに関連付けて表示部１Ｉに表示させる制御部１Ｈ１とを備えて構成する。【選択図】    図１
2004289615.tif 000002
【特許請求の範囲】
【請求項１】
通信ネットワーク（３）を構成する複数のチャネル毎に分割して送信されたフレームを受信し、当該受信したフレーム内に含まれる前記通信ネットワーク（３）の伝送状態を示す指標値を前記各チャネルと関連付けて表示手段（１Ｉ）に表示する伝送状態表示装置（１）であって、
前記通信ネットワーク（３）を介して送信された、前記各チャネル毎に分割されたフレームを受信する複数のフレーム受信手段（１Ａ１〜１Ａｎ）と、
前記各フレーム受信手段（１Ａ１〜１Ａｎ）により受信された、前記各チャネル毎に分割されたフレームを組み立てるフレーム組立手段（１Ｄ１、１Ｊ）と、
前記フレーム組立手段（１Ｄ１、１Ｊ）により組み立てられたフレーム内に含まれる前記指標値を前記フレーム内から読み出す指標値読み出し手段（１Ｅ１、１Ｋ）と、
前記指標値読み出し手段（１Ｅ１、１Ｋ）により読み出した指標値を前記各チャネルに関連付けて前記表示手段（１Ｉ）に表示させる第１の表示制御手段（ＳＴ９）と
を備えた伝送状態表示装置。
【請求項２】
通信ネットワーク（３）を構成する複数のチャネル毎に分割して送信されたフレームを受信し、当該受信したフレーム内に含まれる前記通信ネットワーク（３）の伝送状態を示す指標値を前記各チャネルと関連付けて表示手段（１Ｉ）に表示する伝送状態表示装置（１）であって、
前記通信ネットワーク（３）を介して送信された、前記各チャネル毎に分割されたフレームを受信する複数のフレーム受信手段（１Ａ１〜１Ａｎ）と、
前記各フレーム受信手段（１Ａ１〜１Ａｎ）により受信された、前記各チャネル毎に分割されたフレームを組み立てるフレーム組立手段（１Ｄ１、１Ｊ）と、
前記フレーム組立手段（１Ｄ１、１Ｊ）により組み立てられたフレーム内に含まれる前記指標値を前記フレーム内から読み出す指標値読み出し手段（１Ｅ１、１Ｋ）と、
前記指標値読み出し手段（１Ｅ１、１Ｋ）により読み出した指標値を前記各チャネルに関連付け、かつ、前記各チャネルのうち基準となる基準チャネルに対する相対値で前記表示手段（１Ｉ）に表示させる第２の表示制御手段（ＳＴ７）とを備えた伝送状態表示装置。
【請求項３】
請求項１又は請求項２に記載の伝送状態表示装置において、前記指標値は、前記フレーム内に含まれるポインタの値である伝送状態表示装置。
【請求項４】
請求項１又は請求項２に記載の伝送状態表示装置において、前記指標値は、前記フレームの伝送元からの送信時に付加されるＰＯＨのＨ４バイトの値である伝送状態表示装置。
【請求項５】
請求項１又は請求項２に記載の伝送状態表示装置において、前記指標値は、前記フレーム内に含まれるポインタの値と、前記フレームの伝送元からの送信時に付加されるＰＯＨのＨ４バイトの値とである伝送状態表示装置。
【請求項６】
通信ネットワーク（３）を構成する複数のチャネル毎に分割して送信されたフレームを受信し、当該受信したフレーム内に含まれる前記通信ネットワーク（３）の伝送状態を示す指標値を前記各チャネルと関連付けて表示手段（１Ｉ）に表示する伝送状態表示装置（１´）であって、
前記通信ネットワーク（３）を介して送信された、前記各チャネル毎に分割されたフレームを受信する複数のフレーム受信手段（１Ａ１〜１Ａｎ）と、
前記各フレーム受信手段（１Ａ１〜１Ａｎ）により受信された、前記各チャネル毎に分割されたフレームを組み立てるフレーム組立手段（１Ｄ２）と、
前記フレーム組立手段（１Ｄ２）により組み立てられたフレームを多重化するフレーム多重化手段（１Ｊ）と、
フレーム多重化手段（１Ｊ）により多重化されたフレーム内に含まれる指標値を読み出す指標値読み出し手段（１Ｋ）と、
前記指標値読み出し手段（１Ｋ）により読み出した指標値を前記各チャネルに関連付けて前記表示手段（１Ｉ）に表示させる第１の表示制御手段（ＳＴ１６）と
を備えた伝送状態表示装置。
【請求項７】
通信ネットワーク（３）を構成する複数のチャネル毎に分割して送信されたフレームを受信し、当該受信したフレーム内に含まれる前記通信ネットワーク（３）の伝送状態を示す指標値を前記各チャネルと関連付けて表示手段（１Ｉ）に表示する伝送状態表示装置（１´）であって、
前記通信ネットワーク（３）を介して送信された、前記各チャネル毎に分割されたフレームを受信する複数のフレーム受信手段（１Ａ１〜１Ａｎ）と、
前記各フレーム受信手段（１Ａ１〜１Ａｎ）により受信された、前記各チャネル毎に分割されたフレームを組み立てるフレーム組立手段（１Ｄ２）と、
前記フレーム組立手段（１Ｄ２）により組み立てられたフレームを多重化するフレーム多重化手段（１Ｊ）と、
フレーム多重化手段（１Ｊ）により多重化されたフレーム内に含まれる指標値を読み出す指標値読み出し手段（１Ｋ）と、
前記指標値読み出し手段（１Ｋ）により読み出した指標値を前記各チャネルに関連付け、かつ、前記各チャネルのうち基準となる基準チャネルに対する相対値で前記表示手段（１Ｉ）に表示させる第２の表示制御手段（ＳＴ１５）と
を備えた伝送状態表示装置。
【請求項８】
請求項６又は請求項７に記載の伝送状態表示装置において、前記指標値は、前記フレーム内に含まれるポインタの値である伝送状態表示装置。
【請求項９】
請求項６又は請求項７に記載の伝送状態表示装置において、前記指標値は、前記フレームの伝送元からの送信時に付加されるＰＯＨのＨ４バイトの値である伝送状態表示装置。
【請求項１０】
請求項６又は請求項７に記載の伝送状態表示装置において、
前記指標値は、前記フレーム内に含まれるポインタの値と、前記フレームの伝送元からの送信時に付加されるＰＯＨのＨ４バイトの値とである伝送状態表示装置。
【発明の詳細な説明】
【０００１】
【発明の属する技術分野】
本発明は、例えばＳＤＨ（Ｓｙｎｃｈｒｏｎｏｕｓ  Ｄｉｇｉｔａｌ  Ｈｉｅｒａｒｃｈｙ：同期ディジタルハイアラーキ）方式を用いた通信ネットワークに接続され、この通信ネットワークの伝送状態を示す指標値と、この通信ネットワークを構成する各チャネルとを関連付けて表示する伝送状態表示装置に関する。
【０００２】
【従来の技術】
従来、ディジタル伝送の分野では、既存の通信ネットワークを有効に利用して大容量のデータを伝送するために、大容量のデータを複数の小容量の仮想コンテナに分割し、分割した仮想コンテナに収容した小容量データを複数の回線に分けて伝送させた後、正しく組み立て、束ねて大容量回線へ送出するバーチャルコンカチネーションという手段がある。
【０００３】
この場合、通信ネットワークを構成する各チャネルは、それぞれ伝送容量も異なり、伝送距離も異なるので、安定してデータ伝送を行うためには、各チャネル毎の伝送遅延や複数の小容量回線側の各々のクロックと大容量回線のクロックとの差による位相の変動を知ることは重要になる。
【０００４】
しかしながら、ＳＤＨ方式等をベースとして用いた有線の通信ネットワークに関しては、各チャネル毎の伝送時の遅延や複数の小容量回線側の各々と大容量回線のクロックの差による位相の変動を全チャネル同時に表示出来る装置は、現在のところ知られていない。
【０００５】
なお、移動体通信方式に関しては、受信したＣＤＭＡ信号の強度と、各チャネルとを関連付けて表示する装置が知られている（特許文献１参照）。
【０００６】
なお、ＳＤＨに関しては、非特許文献１に記載されている。
【０００７】
【特許文献１】
特開２０００−３６８０２号公報
【０００８】
【非特許文献１】
河西宏之著，「わかりやすいＳＤＨ／ＳＯＮＥＴ伝送方式」第１版第３刷，株式会社オーム社発行，平成１４年９月１０日発行
【０００９】
【発明が解決しようとする課題】
しかしながら、この種の伝送状態表示装置は、無線通信方式を用いた場合の電波の強度を表示するものであり、有線の通信ネットワークを用いた場合に適用できるものではない。
【００１０】
従って、ＳＤＨ等の有線通信ネットワークを介して大容量のデータをディジタル伝送で送信する際には、受信装置の性能に対する位相変動や遅延の影響が分からないだけでなく、どの程度であるか把握することができない。
【００１１】
ＳＤＨ等の有線通信ネットワークを介して大容量のデータをディジタル伝送で分割して送信する際には、伝送時の遅延が一定の時間以上であると、分割した仮想コンテナを元のフレームに正しく組み立てることができず、通信に支障をきたす可能性がある。
【００１２】
本発明者の考察によれば、ＳＤＨ等の有線通信ネットワークを介して安定したデータ通信を行うために、各チャネル毎の伝送遅延や複数の小容量回線側の各々と大容量回線のクロックの差による位相の変動を表示させる伝送状態表示装置に対する要望が高まっている。
【００１３】
そこで本発明は、上記事情を考慮してなされたもので、通信ネットワークの伝送状態を示す指標値を各チャネルと関連付けて目視で確認することを可能にする伝送状態表示装置を提供することを目的とする。
【００１４】
【課題を解決するための手段】
本発明の骨子は、通信ネットワークの伝送状態を示す指標値と各チャネルとを対応付けた構成により、通信ネットワークの伝送状態を示す指標値を、各チャネルと関連付けて目視で確認することを可能にするという顕著な効果を達成することにある。
【００１５】
第１の発明は、通信ネットワークを構成する複数のチャネル毎に分割して送信されたフレームを受信し、当該受信したフレーム内に含まれる通信ネットワークの伝送状態を示す指標値を各チャネルと関連付けて表示手段に表示する伝送状態表示装置であって、通信ネットワークを介して送信された、各チャネル毎に分割されたフレームを受信する複数のフレーム受信手段と、各フレーム受信手段により受信された、各チャネル毎に分割されたフレームを組み立てるフレーム組立手段と、フレーム組立手段により組み立てられたフレーム内に含まれる指標値をフレーム内から読み出す指標値読み出し手段と、指標値読み出し手段により読み出した指標値を各チャネルに関連付けて表示手段に表示させる第１の表示制御手段とを備えた伝送状態表示装置である。
【００１６】
このような構成とすれば、各フレーム受信手段により通信ネットワークを介して各チャネル毎に分割して送信されたフレームが受信され、当該受信された各チャネル毎に分割されたフレームがフレーム組立手段により組み立てられ、当該組み立てられたフレーム内に含まれる指標値が指標値読み出し手段によりフレーム内から読み出され、当該指標値が第１の表示制御手段により各チャネルに関連付けて表示手段に表示されるので、通信ネットワークの伝送状態を示す指標値を各チャネルと関連付けて目視で確認することが出来る。
【００１７】
第２の発明は、通信ネットワークを構成する複数のチャネル毎に分割して送信されたフレームを受信し、当該受信したフレーム内に含まれる通信ネットワークの伝送状態を示す指標値を各チャネルと関連付けて表示手段に表示する伝送状態表示装置であって、通信ネットワークを介して送信された、各チャネル毎に分割されたフレームを受信する複数のフレーム受信手段と、各フレーム受信手段により受信された、各チャネル毎に分割されたフレームを組み立てるフレーム組立手段と、フレーム組立手段により組み立てられたフレーム内に含まれる指標値をフレーム内から読み出す指標値読み出し手段と、指標値読み出し手段により読み出した指標値を各チャネルに関連付け、かつ、各チャネルのうち基準となる基準チャネルに対する相対値で表示手段に表示させる第２の表示制御手段とを備えた伝送状態表示装置である。
【００１８】
このような構成とすれば、指標値が各チャネルに関連付け、かつ、基準チャネルに対する相対値で表示されるので、目視で容易に確認することが出来る。
【００１９】
第３の発明は、第１又は第２の発明の伝送状態表示装置において、指標値は、サンプリング周期毎にフレーム内に含まれるポインタの値である伝送状態表示装置である。
【００２０】
なお、本明細書に記載のポインタの値とは、ＡＵポインタの値を意味する。
【００２１】
このような構成とすれば、第１の発明と同様の作用を奏することが出来る。
【００２２】
第４の発明は、第１又は第２の発明の伝送状態表示装置において、指標値は、フレームの伝送元からの送信時に付加されるＰＯＨのＨ４バイトの値である伝送状態表示装置である。
【００２３】
このような構成とすれば、第１の発明と同様の作用を奏することが出来る。
【００２４】
第５の発明は、第１又は第２の発明の伝送状態表示装置において、指標値は、サンプリング周期毎にフレーム内に含まれるポインタの値と、フレームの伝送元からの送信時に付加されるＰＯＨのＨ４バイトの値とである伝送状態表示装置である。
【００２５】
このような構成とすれば、第１の発明と同様の作用を奏することが出来る。
【００２６】
第６の発明は、通信ネットワークを構成する複数のチャネル毎に分割して送信されたフレームを受信し、当該受信したフレーム内に含まれる通信ネットワークの伝送状態を示す指標値を各チャネルと関連付けて表示手段に表示する伝送状態表示装置であって、通信ネットワークを介して送信された、各チャネル毎に分割されたフレームを受信する複数のフレーム受信手段と、各フレーム受信手段により受信された、各チャネル毎に分割されたフレームを組み立てるフレーム組立手段と、フレーム組立手段により組み立てられたフレームを多重化するフレーム多重化手段と、フレーム多重化手段により多重化されたフレーム内に含まれる指標値を読み出す指標値読み出し手段と、指標値読み出し手段により読み出した指標値を各チャネルに関連付けて表示手段に表示させる第１の表示制御手段とを備えた伝送状態表示装置である。
【００２７】
このような構成とすれば、複数のフレーム受信手段により通信ネットワークを介して送信された各チャネル毎に分割されたフレームが受信され、当該受信された分割されたフレームがフレーム組立手段により組み立てられ、当該組み立てられたフレームがフレーム多重化手段により多重化され、当該多重化されたフレーム内に含まれる指標値が指標値読み出し手段により読み出され、当該読み出された指標値が第１の表示制御手段により各チャネルに関連付けて表示手段に表示されるので、通信ネットワークの伝送状態を示す指標値を各チャネルと関連付けて目視で確認することが出来る。
【００２８】
第７の発明は、通信ネットワークを構成する複数のチャネル毎に分割して送信されたフレームを受信し、当該受信したフレーム内に含まれる通信ネットワークの伝送状態を示す指標値を各チャネルと関連付けて表示手段に表示する伝送状態表示装置であって、通信ネットワークを介して送信された、各チャネル毎に分割されたフレームを受信する複数のフレーム受信手段と、各フレーム受信手段により受信された、各チャネル毎に分割されたフレームを組み立てるフレーム組立手段と、フレーム組立手段により組み立てられたフレームを多重化するフレーム多重化手段と、フレーム多重化手段により多重化されたフレーム内に含まれる指標値を読み出す指標値読み出し手段と、指標値読み出し手段により読み出した指標値を前記各チャネルに関連付け、かつ、各チャネルのうち基準となる基準チャネルに対する相対値で表示手段に表示させる第２の表示制御手段とを備えた伝送状態表示装置である。
【００２９】
このような構成とすれば、指標値が各チャネルに関連付け、かつ、基準チャネルに対する相対値で表示されるので、目視で容易に確認することが出来る。
【００３０】
第８の発明は、第６又は第７の発明の伝送状態表示装置において、指標値は、フレーム内に含まれるポインタの値である伝送状態表示装置である。
【００３１】
このような構成とすれば、第６の発明と同様の作用を奏することが出来る。
【００３２】
第９の発明は、第６又は第７の発明の伝送状態表示装置において、指標値は、フレームの伝送元からの送信時に付加されるＰＯＨのＨ４バイトの値である伝送状態表示装置である。
【００３３】
このような構成とすれば、第６の発明と同様の作用を奏することが出来る。
【００３４】
第１０の発明は、第６又は第７の発明の伝送状態表示装置において、指標値は、フレーム内に含まれるポインタの値と、フレームの伝送元からの送信時に付加されるＰＯＨのＨ４バイトの値とである伝送状態表示装置である。
【００３５】
このような構成とすれば、第６の発明と同様の作用を奏することが出来る。
【００３６】
【発明の実施の形態】
以下、本発明の各実施の形態について図面を参照して説明する。
【００３７】
［第１の実施の形態］
図１は、本発明の第１の実施の形態に係る伝送状態表示装置１の構成例を示すブロック図である。
【００３８】
なお、本実施の形態に係る伝送状態表示装置１は、例えば、図５に示すようにＳＤＨ方式に準拠して、多重化した光パルス信号等のディジタル信号を送信するＳＤＨ送信装置２に通信ネットワーク３を介して接続される。
【００３９】
ＳＤＨでは、小容量の伝送データを、多重マッピングし、大容量のデータとして送信することが出来る。また受信側では、多重マッピングしたデータをドロップして小容量のデータとして分配出来る。
【００４０】
逆に、最近では、伝送路の有効活用のため、大容量のデータを仮想的に分割して伝送容量の限られた複数の伝送路に送信し、受信側で再度組み上げる技術（Ｖｉｒｔｕａｌ  Ｃｏｎｃａｔｉｎａｔｉｏｎ）も定義されている。
【００４１】
ＳＤＨに準拠したＳＤＨ送信装置２は、階層化されたフレームを送信するが、例えばＳＴＭ−１というフレームの場合、図２に示すような９行×２７０列からなる計２４３０バイトの１フレームを１２５［μｓ］の送信周期で送信する。
【００４２】
伝送される大容量データは、例えば複数のＳＴＭ−１等のフレームから構成されており、ＳＴＭ−１のフレームでは、９行×２６１列からなるペイロードと、このペイロードに付加される９行×９列からなるＳＯＨ（Ｓｅｃｔｉｏｎ  Ｏｖｅｒｈｅａｄ：セクションオーバヘッド）とから構成されている。
【００４３】
このＳＯＨの４行目には、各々３バイトからなるＨ１、Ｈ２、及びＨ３バイトとよばれるＡＵポインタという値が定義されている。
【００４４】
このＡＵポインタは、ペイロードに小容量の仮想コンテナを収容した場合のコンテナの先頭部分を示すものである。
【００４５】
このＡＵポインタの値は、Ｈ１バイトとＨ２バイトと併せた全バイトの下位１０ビットからなるが、正常範囲の値は、０〜７８２と定められている。
【００４６】
各仮想コンテナは、例えば、ＶＣ−３という形式の仮想コンテナの場合、図３に示すように９行×８５列からなり、各仮想コンテナの先頭には、ＰＯＨ（Ｐａｓｓ  Ｏｖｅｒｈｅａｄ：パスオーバヘッド）が付加されている。
【００４７】
また、この仮想コンテナの先頭部分のアドレスは、前述したＡＵポインタの値により規定されている。
【００４８】
また、各仮想コンテナは、ＶＣ−４という形式の場合、図４に示すように、９行×２６１列からなり、各仮想コンテナの先頭部分には、同様にＰＯＨが付加されている。このＰＯＨの一列目には、６行目にＨ４バイトが定義されている。このＨ４バイトは、前述までの大容量データを小容量データに分割し、分割した小容量データを異なるネットワークに送信した場合、受信側で再度データを組み上げる場合の遅延吸収に利用される。
【００４９】
Ｈ４バイトは、下位４ビットからなるＭＦＩ１（マルチフレームインジケータ１）と、当該ＭＦＩ１の桁上がりの場合に付加される上位８ビットからなるＭＦＩ２（マルチフレームインジケータ２）とからなり、０〜４０９５までの値を設定することが出来る。
【００５０】
本実施の形態に係る伝送状態表示装置１は、例えば図５に示すような通信ネットワーク３に接続されている。
【００５１】
この通信ネットワーク３は、ＳＤＨ方式のＳＤＨ送信装置２と本実施の形態に係る伝送状態表示装置１とに接続された既存のＳＤＨネットワークであり、複数のＳＴＭ−１回線からなる。
【００５２】
この通信ネットワーク３は、ＳＤＨ方式のＳＤＨ送信装置２を介して１０Ｇｂｉｔ／ｓ等の大容量の通信回線に接続されている。
【００５３】
本実施の形態に係る伝送状態表示装置１は、ＳＤＨ方式のＳＤＨ受信機能を有し、ＳＤＨ送信装置２から送信された複数の仮想コンテナを受信し、受信した各仮想コンテナに含まれるＡＵポインタやＰＯＨ内のＨ４バイトの値に基づいて、各仮想コンテナからフレームを正しく組み立てると共に、受信した各仮想コンテナをフレームに変換する過程で表示に必要な信号を抽出する。
【００５４】
なお、ＳＤＨに関しては、前述した非特許文献１に、より詳細に記載されている。
【００５５】
本実施の形態に係る伝送状態表示装置１は、フレーム受信部１Ａ１〜１Ａｎと、クロック再生部１Ｂ１〜１Ｂｎと、局内クロック分配部１Ｃ１と、フレーム組立部１Ｄ１と、Ｈ１・Ｈ２バイト検出部１Ｅ１と、Ｈ１・Ｈ２バイト管理情報記憶部１Ｆと、データ入力部１Ｇ１と、制御部１Ｈ１と、表示部１Ｉとから構成される。
【００５６】
フレーム受信部１Ａ１〜１Ａｎは、ＳＴＭ−１からなるフレームを構成する仮想コンテナを受信し、クロック再生部１Ｂ１〜１Ｂｎから出力されたクロックに同期して、受信した仮想コンテナ内のＳＯＨを検出する機能と、当該ＳＯＨから仮想コンテナを検出する機能と、検出した仮想コンテナをフレーム組立部１Ｄ１に出力する機能とを有する。
【００５７】
クロック再生部１Ｂ１〜１Ｂｎは、ＳＴＭ−１（１）〜（ｎ）のｎ個の各回線を介して受信した受信信号からクロックを再生して、再生したクロックをフレーム受信部１Ａ１〜１Ａｎと、フレーム組立部１Ｄ１とに出力する。
【００５８】
なお、本実施の形態では、フレーム受信部１Ａ１とクロック再生部１Ｂ１との関係に関しては、添え字が同一のクロック再生部からフレーム受信部にクロック信号が出力されているものとする。
【００５９】
局内クロック分配部１Ｃ１は、伝送状態表示装置１内のクロックを作成し、作成したクロックをフレーム組立部１Ｄ１に出力する機能を有する。
【００６０】
フレーム組立部１Ｄ１は、各回線を介して受信した仮想コンテナのＰＯＨと、ペイロードとを多重化フレームにマッピングする機能と、マッピングした多重化フレームをＨ１・Ｈ２バイト検出部１Ｅ１に出力する機能とを有する。
【００６１】
Ｈ１・Ｈ２バイト検出部１Ｅ１は、フレーム組立部１Ｄ１から出力された各通信ネットワークのクロックと局内クロック分配部１Ｃ１から出力されたクロックとの差から位相変動を検出し、検出した位相変動をポインタの値に変換する機能と、フレーム内の伝送したチャネルを示すシーケンス番号を読み出す機能と、当該ポインタの値と読み出したチャネルとに位相変動の検出時刻とを付加し、当該検出時刻を付加したチャネルとポインタの値とをＨ１・Ｈ２バイト管理情報記憶部１Ｆに記憶させる機能と、フレーム組立部１Ｄ１から出力されたマッピングされた多重化フレームを外部に送信する機能とを有する。
【００６２】
Ｈ１・Ｈ２バイト管理情報記憶部１Ｆには、Ｈ１バイト及びＨ２バイト内のポインタの値と、チャネルと、検出時刻との組が対応して記憶されている。
【００６３】
データ入力部１Ｇ１は、操作者の操作による通常のデータ入力を受け付けるものであり、操作者の操作によって、入力された検出時刻を制御部１Ｈ１に出力する機能と、操作者の操作により指定された基準チャネルを制御部１Ｈ１に出力する機能とを有する。
【００６４】
なお、本実施の形態では、データ入力部１Ｇ１は、外部から操作者の操作により基準チャネルを指定する機能のみを有していたが、これに限らず、異常であるか否かを判定するためのしきい値を設定する機能と、サンプリング周期とを入力する機能とを有していてもよいことはいうまでもない。
【００６５】
制御部１Ｈ１は、データ入力部１Ｇ１から出力された検出時刻を受け取ったか否かにより、ポインタの値の表示要求があるか否かを判定する機能と、データ入力部１Ｇ１から出力された検出時刻に対応するポインタの値を読み出す機能と、データ入力部１Ｇ１から出力された基準チャネルを受け取ったか否かにより、操作者によって基準チャネルが指定されたか否かを判定する機能と、この判定の結果、基準チャネルが指定されたと判定した場合、同一時刻に読み出した各チャネルのポインタの値と、基準チャネルのポインタの値との相対差を算出する機能と、この算出した相対差が予め定められたしきい値以上であるか否かにより送信エラーであるか否かを判定する機能と、当該判定の結果、相対差が送信エラーであると判定した場合、送信エラーであるチャネルに対応して帯状の表示をさせる機能と、前述した判定の結果、送信エラーでないと判定した場合、ポインタの値とチャネルとを関連付けて２次元平面上で点として表示させる機能と、前述した判定の結果、基準チャネルが指定されていないと判定した場合、ポインタの値が正常範囲内にあるか否かを判定する機能と、当該判定の結果、正常範囲内にあると判定した場合、各チャネルに対応して同一時刻に読み出したポインタの値をチャネルと関連付けて２次元平面上で点として表示させる機能と、前述した判定の結果、正常範囲内にないと判定した場合、送信エラーであるチャネルに対応して帯状の表示をさせる機能とを有する。
【００６６】
なお、本実施の形態では、サンプリング周期毎の所定時刻におけるポインタの値とチャネルとを関連付けて表示させたが、これに限らず、一定の時間間隔におけるチャネル毎のポインタの値の変化範囲、換言すれば上限値と下限値とをチャネルに関連付けて表示させてもよいし、上限値と下限値との間の変動周期をチャネルに対応付けて表示させてもよいことはいうまでもない。
【００６７】
なお、本実施の形態では、同一時刻に読み出したポインタの値とチャネルとを関連付けて２次元平面上で表示させたが、これに限らず、ポインタの値と、チャネルと、検出時刻とを３次元平面上における点として表示させてもよい。
【００６８】
表示部１Ｉは、図示しない表示画面を有しており、この表示画面上に各チャネルとポインタの値とを対応付けて２次元平面上の点として表示すると共に、送信エラーであるチャネルに帯状の表示をする。
【００６９】
なお、本実施の形態の伝送表示装置では、指標値としてＨ１・Ｈ２バイトのみを検出したが、これに限らず、指標値としてＨ１バイトとＨ２バイトとに加え、ＰＯＨ内のＨ４バイトを検出させてもよいし、ＰＯＨ内のＨ４バイトのみを検出させてもよいことはいうまでもない。
【００７０】
この場合、本実施の形態に係る伝送状態表示装置の構成に、ＰＯＨ内のＨ４バイトを検出する機能を有する構成と、Ｈ４バイトの値と検出時刻とチャネルとの組を記憶させる構成とを別途付加するものとする。
【００７１】
次に、以上のように構成された伝送状態表示装置１の動作に関し、図を用いて説明する。
【００７２】
なお、説明を本発明のポイントに絞る観点から、以下の説明では、伝送状態表示装置１の制御部１Ｈ１が行うポインタの値とチャネルとを関連付けて表示させる処理に関してのみ説明する。
【００７３】
図６は、本実施の形態に係る伝送状態表示装置１の制御部１Ｈ１の動作を説明するためのフローチャートである。
【００７４】
始めに、制御部１Ｈ１は、操作者の操作によりデータ入力部１Ｇ１から入力された検出時刻を受け取ったか否かにより、ポインタの値の表示要求があるか否かを判定する（ＳＴ１）。
【００７５】
制御部１Ｈ１は、この工程ＳＴ１でポインタの値の表示要求があると判定した場合（ＳＴ１：Ｙｅｓ）、検出時刻に対応するチャネルと、ポインタの値をＨ１・Ｈ２バイト管理情報記憶部１Ｆから読み出す（ＳＴ２）。
【００７６】
一方、制御部１Ｈ１は、前述した工程ＳＴ１でポインタの値の表示要求がないと判定した場合（ＳＴ１：Ｎｏ）、引き続きポインタの値の表示要求があるか否かの判定処理を続ける。
【００７７】
工程ＳＴ３では、制御部１Ｈ１は、データ入力部１Ｇ１から操作者の操作により基準チャネルが指定されたか否かを判定する。
【００７８】
制御部１Ｈ１は、この工程ＳＴ３で基準チャネルが指定されたと判定した場合（ＳＴ３：Ｙｅｓ）、この指定された基準チャネルのポインタの値と、他のチャネルのポインタの値との相対差を算出する（ＳＴ４）。
【００７９】
次に、制御部１Ｈ１は、算出した相対差が所定のしきい値以上であるか否かにより送信エラーであるか否かを判定する（ＳＴ５）。
【００８０】
制御部１Ｈ１は、この工程ＳＴ５で送信エラーであると判定した場合（ＳＴ５：Ｙｅｓ）、送信エラーであるチャネルに対応して帯状に表示させる（ＳＴ６）。
【００８１】
一方、制御部１Ｈ１は、前述した工程ＳＴ５で送信エラーでないと判定した場合（ＳＴ５：Ｎｏ）、算出した相対差を各チャネルに対応させて２次元平面上の点として表示部１Ｉに表示させる（ＳＴ７）。
【００８２】
図７は、本実施の形態に係る伝送状態表示装置１の表示画面の一例を示す模式図である。
【００８３】
同図の横軸は、通信ネットワークを構成する各チャネルを示しており、縦軸は、フレーム内に含まれるポインタの値を示している。
【００８４】
更に、画面上にプロットされた各点は、各チャネルに対応するポインタの値と基準チャネルのポインタの値との相対差を示している。
【００８５】
因みに、図７に示す例では、チャネルＡが基準チャネルである。チャネルＢのポインタの値とチャネルＡのポインタの値との相対差は、ｐ１（正の値）である。また、チャネルＣのポインタの値とチャネルＡのポインタの値との相対差は、ｐ２（負の値）である。チャネルＤの帯状の表示は、チャネルＤのポインタの値とチャネルＡのポインタの値との相対差が所定の正常範囲にないことを示す。
【００８６】
一方、制御部１Ｈ１は、前述した工程ＳＴ３で基準チャネルが指定されていないと判定した場合（ＳＴ３：Ｎｏ）、ポインタの値が正常範囲内であるか否かにより送信エラーであるか否かを判定する（ＳＴ８）。
【００８７】
制御部１Ｈ１は、この工程ＳＴ８でポインタの値が正常範囲内であると判定した場合（ＳＴ８：Ｙｅｓ）、ポインタの値を各チャネルと対応させて２次元平面上の点として表示部１Ｉに表示させる（ＳＴ９）。
【００８８】
一方、制御部１Ｈ１は、前述した工程ＳＴ８でポインタの値が正常範囲内でないと判定した場合（ＳＴ８：Ｎｏ）、送信エラーであるチャネルに対応して帯状に表示させる（ＳＴ１０）。
【００８９】
図８は、本実施の形態に係る伝送状態表示装置１の表示画面の他の一例を示す模式図である。
【００９０】
同図の横軸は、通信ネットワークを構成する各チャネルを示しており、縦軸は、フレーム内に含まれるポインタの値を示す。
【００９１】
更に、画面上にプロットされた各点は、各チャネルに相当するポインタの値を示している。
【００９２】
また、チャネルに対応する帯状の表示は、ポインタの値が正常範囲にないことを示している。
【００９３】
因みに、図８の例では、Ａチャネルのポインタの値は、０であり、Ｂチャネルのポインタの値は、ｐ１であり、Ｃチャネルのポインタの値は、Ｐ２であり、Ｄチャネルのポインタの値は、正常範囲にない、換言すれば、送信エラーであることを示す。
【００９４】
以上のような一連の処理により、伝送状態表示装置１は、その動作を終了する。
【００９５】
上述したように本実施の形態によれば、フレーム受信部１Ａ１〜１Ａｎにより通信ネットワーク３を介して送信されたフレームが受信され、当該受信されたフレーム内に含まれるコンテナのポインタの値がフレーム内からＨ１・Ｈ２バイト検出部１Ｅ１により読み出され、当該読み出したポインタの値が各チャネルに関連付けて表示部１Ｉの表示画面に表示されるので、通信ネットワークの伝送状態を示す指標値を、各チャネルと関連付けて目視で確認することが出来る。
【００９６】
本実施の形態によれば、チャネル毎のポインタの値又は基準チャネルに対する相対差が表示されるので、伝送状態表示装置自体１にどれ位の負荷がかかっているか等の伝送状態を目視で容易に確認することが出来る。
【００９７】
本実施の形態によれば、モニタのチャネル範囲を拡大することが出来るだけでなく、各チャネルに対応したポインタの値の変化を表示させることにより、収容されるコンテナ内のポインタの異常及びアラームの表示範囲を拡大することが出来る。
【００９８】
［第２の実施の形態］
図９は、本発明の第２の実施の形態に係る伝送状態表示装置１´の構成例を示すブロック図である。なお、前述した第１の実施の形態と同一の構成に関しては同一符号を付加してその詳細な説明を省略し、ここでは主として異なる部分に関して説明する。
【００９９】
なお、本実施の形態に係るＳＤＨ方式の図示しないＳＤＨ伝送装置は、各チャネルに送信する仮想コンテナ内のＰＯＨのＨ４バイトに０から始まり、４０９５で終わる連続番号を順に付加する機能を有しているものとする。
【０１００】
本実施の形態に係る伝送状態表示装置１´は、第１の実施の形態の構成に加え、フレーム変換部１Ｊと、Ｈ４バイト検出部１Ｋと、Ｈ４バイト管理情報記憶部１Ｌとを付加し、かつ、第１の実施の形態の構成の局内クロック分配部１Ｃ１を局内クロック分配部１Ｃ２に置換し、フレーム組立部１Ｄ１をフレーム組立部１Ｄ２に置換し、かつ、Ｈ１・Ｈ２バイト検出部１Ｅ１をＨ１・Ｈ２バイト検出部１Ｅ２に置換し、かつ、データ入力部１Ｇ１をデータ入力部１Ｇ２に置換し、かつ、制御部１Ｈ１を制御部１Ｈ２に置換した構成となっている。
【０１０１】
局内クロック分配部１Ｃ２は、第１の実施の形態に係る局内クロック分配部１Ｃ１の有する機能に加え、伝送状態表示装置１内のクロックを作成し、作成したクロックを前述したフレーム変換部１Ｊに出力する機能を有する。
【０１０２】
フレーム組立部１Ｄ２は、各回線を介して受信した仮想コンテナのＰＯＨとペイロードとを第１の実施の形態に係るフレーム組立部１Ｄ１と同様の多重化フレームにマッピングする機能と、マッピングした多重化フレームをＨ１・Ｈ２バイト検出部１Ｅ２と、フレーム変換部１Ｊとにそれぞれ出力する機能とを有する。
【０１０３】
Ｈ１・Ｈ２バイト検出部１Ｅ２は、フレーム組立部１Ｄ２から出力された各通信ネットワークのクロックと局内クロック分配部１Ｃから出力されたクロックとの差から位相変動を検出し、検出した位相変動をポインタの値に変換する機能と、フレーム内の伝送したチャネルを示すシーケンス番号を読み出す機能と、当該ポインタの値と読み出したチャネルとに位相変動の検出時刻とを付加し、当該検出時刻を付加したチャネルとポインタの値とをＨ１・Ｈ２バイト管理情報記憶部１Ｆに記憶させる機能とを有する。
【０１０４】
フレーム変換部１Ｊは、フレーム組立部１Ｄ２から出力された多重化フレームを受け取り、この多重化フレームをコンカチネーションマッピングの規定に従ったコンカチネーションマッピングフレームに変換する機能と、当該コンカチネーションマッピングフレームに変換する過程でフレーム組立部１Ｄ２から受け取ったＰＯＨをＨ４バイト検出部１Ｋに出力する機能と、コンカチネーションマッピングフレームを外部に出力する機能とを有する。
【０１０５】
Ｈ４バイト検出部１Ｋは、フレーム変換部１Ｊから出力されたＰＯＨ内に配置された遅延を示すＨ４バイトの値を検出する機能と、フレーム内の伝送したチャネルを示すシーケンス番号を読み出す機能と、検出したＨ４バイトの値と読み出したチャネルとの組に検出時刻を付加し、検出時刻を付加したＨ４バイトの値とチャネルとの組をＨ４バイト管理情報記憶部１Ｌに記憶させる機能とを有する。
【０１０６】
Ｈ４バイト管理情報記憶部１Ｌには、Ｈ４バイトの数値と、Ｈ４バイトを検出した検出時刻と、チャネルとの組が対応して記憶されている。
【０１０７】
データ入力部１Ｇ２は、通常のデータ入力を受け付けるものであり、前述した第１の実施の形態のデータ入力部１Ｇ１の機能に加え、入力された検出時刻を制御部に出力することにより、Ｈ４バイトの表示要求を行う機能を有する。
【０１０８】
制御部１Ｈ２は、データ入力部１Ｇ２から検出時刻を受け取ったか否かにより、Ｈ４バイトの値を表示させるための表示要求があるか否かを判定する機能と、当該判定の結果、Ｈ４バイトの表示要求があると判定した場合に、検出時刻に対応するＨ４バイトの値と、チャネルとの組をＨ４バイト管理情報記憶部１Ｌから読み出す機能と、基準チャネルが指定されたか否かを判定する機能と、当該判定の結果、基準チャネルが指定されたと判定した場合、基準チャネルのＨ４バイトの値と、各チャネルのＨ４バイトの値との相対差を算出する機能と、算出した相対差と、各チャネルとを対応させて２次元平面上の点として表示部１Ｉに表示させる機能と、前述した判定の結果、基準チャネルが指定されていないと判定した場合、各チャネルのＨ４バイトの値を各チャネルと対応させて２次元平面上の点として表示部１Ｉに表示させる機能と、Ｈ４バイトの表示要求がないと判定した場合、前述した第１の実施の形態の工程ＳＴ１〜ＳＴ１０と同様の処理を行う機能とを有する。
【０１０９】
なお、本実施の形態に係る伝送状態表示装置１´には、別途予め行われた試験時における各チャネル毎のＨ４バイトの値の測定データが記憶されたメモリを別途設けてもよい。この場合、制御部１Ｈ２は、上述した各機能に加え、このメモリから試験時の測定値データを読み出す機能と、Ｈ４バイト管理情報記憶部１Ｌから読み出したＨ４バイトの値と、メモリに記憶された測定データとの相対差を算出する機能と、当該算出した相対差を各チャネルに対応させて表示部１Ｉに表示させる機能とを付加するものとする。
【０１１０】
なお、本実施の形態に係る伝送状態表示装置１´では、Ｈ４バイト検出部１Ｋは、フレーム変換部１Ｊの後に設けたが、これに限らず、フレーム受信部１Ａ１〜１Ａｎの後に設けてもよいし、Ｈ１・Ｈ２バイト検出部１Ｅの後に設けてもよい。
【０１１１】
また、本実施の形態に係る伝送状態表示装置１´では、フレーム変換部１Ｊにフレームを組み立てる機能を付加し、フレーム組立部１Ｄ２と、Ｈ１・Ｈ２バイト検出部１Ｅ２と、Ｈ１・Ｈ２バイト管理情報記憶部１Ｆとは設けない構成に変更してもよい。
【０１１２】
次に、以上のように構成された伝送状態表示装置１´の動作を、図を用いて説明する。
【０１１３】
なお、説明を本発明のポイントに絞る観点から、以下の説明では、伝送状態表示装置１´の制御部１Ｈ２が行うポインタの値とチャネルとを関連付けて表示させる処理に関してのみ説明する。
【０１１４】
図１０は、本実施の形態に係る伝送状態表示装置１´の制御部１Ｈ２の動作を説明するフローチャートである。
【０１１５】
始めに、制御部１Ｈ２は、検出時刻を受け取ったか否かにより、Ｈ４バイトの表示要求があるか否かを判定する（ＳＴ１１）。
【０１１６】
制御部１Ｈ２は、この工程ＳＴ１でＨ４バイトの表示要求がなされたと判定した場合（ＳＴ１１：Ｙｅｓ）、検出時刻に対応するＨ４バイトの値と、チャネルとの組をＨ４バイト管理情報記憶部１Ｌから読み出す（ＳＴ１２）。
【０１１７】
次に、制御部１Ｈ２は、データ入力部１Ｇ２から基準チャネルを受け取ったか否かにより、基準チャネルが指定されたか否かを判定する（ＳＴ１３）。
【０１１８】
制御部１Ｈ２は、この工程ＳＴ１３で基準チャネルが指定されたと判定した場合（ＳＴ１３：Ｙｅｓ）、基準チャネルのＨ４バイトの値と、各チャネルのＨ４バイトの値との相対差を算出する（ＳＴ１４）。
【０１１９】
次に、制御部１Ｈ２は、算出した相対差と、各チャネルとを対応させて２次元平面上の点として表示部１Ｉに表示させる（ＳＴ１５）。
【０１２０】
図１１は、本実施の形態に係る伝送状態表示装置１´の表示画面の一例を示す模式図である。
【０１２１】
同図の横軸は、通信ネットワークを構成する各チャネルを示しており、縦軸は、ＰＯＨ内のＨ４バイトの値の相対差を示す。
【０１２２】
因みに図１１の例の場合、チャネルＡは、基準チャネルであり、チャネルＢのＨ４バイトの値と、基準チャネルのＨ４バイトの値との相対差は、ｐ１（正の値）である。
【０１２３】
また、チャネルＣのＨ４バイトの値と、基準チャネルのＨ４バイトの値との相対差は、ｐ２（負の値）である。
【０１２４】
なお、本実施の形態に係る伝送状態表示装置１´の表示画面では、基準チャネルのＨ４バイトの値との値の相対差に、所定の範囲を設けて、当該範囲に含まれない場合に、第１の実施の形態と同様の帯状の表示を行わせてもよい。
【０１２５】
また、本実施の形態係る伝送状態表示装置１´の表示画面では、縦軸は、Ｈ４バイトの値の相対差であったが、Ｈ４バイトの数値の差は、通信ネットワークを構成する各チャネル間の伝送遅延を示すとも考えられるので、基準チャネルとの時間差であってもよい。
【０１２６】
一方、制御部１Ｈ２は、前述した工程ＳＴ１３で基準チャネルが指定されていないと判定した場合（ＳＴ１３：Ｎｏ）、各チャネルのＨ４バイトの値を各チャネルと対応させて２次元平面上の点として表示部１Ｉに表示させる（ＳＴ１６）。
【０１２７】
図１２は、本実施の形態に係る伝送状態表示装置１´の表示画面の他の一例を示す模式図である。
【０１２８】
同図の横軸は、通信ネットワークを構成する各チャネルを示しており、縦軸は、ＰＯＨ内のＨ４バイトの値を示す。
【０１２９】
因みに図１２の例の場合、チャネルＡのＨ４バイトの値は、ｐ１であり、チャネルＢのＨ４バイトの値はｐ２であり、チャネルＣのＨ４バイトの値は、ｐ３であり、チャネルＤのＨ４バイトの値は、ｐ４である。
【０１３０】
なお、本実施の形態に係る伝送状態表示装置１´の表示画面では、Ｈ４バイトの値に、所定のしきい値を設けて、当該しきい値を超過した場合に、第１の実施の形態と同様の帯状の表示を行わせてもよい。
【０１３１】
また、本実施の形態係る伝送状態表示装置１´の表示画面では、縦軸は、Ｈ４バイトの値であったが、Ｈ４バイトの数値の差は、通信ネットワークを構成する各チャネル間の伝送遅延を示すとも考えられるので、時間であってもよい。
【０１３２】
一方、制御部１Ｈ２は、前述した工程ＳＴ１でＨ４バイトの表示要求がないと判定した場合（ＳＴ１１：Ｎｏ）、前述した第１の実施の形態の工程ＳＴ１〜ＳＴ１０と同様の処理を行う。なお、この場合、前述した第１の実施の形態のフローチャートのＳＴ１〜ＳＴ１０の説明中で「制御部１Ｈ１」は、「制御部１Ｈ２」と読み替えると共に、「データ入力部１Ｇ１」は、「データ入力部１Ｇ２」と読み替えるものとする。
【０１３３】
以上のような一連の処理により、伝送状態表示装置１´は、その動作を終了する。
【０１３４】
上述したように本実施の形態によれば、第１の実施の形態の効果に加え、Ｈ４バイトの値をチャネルと関連付けて表示させるので、各チャネル間での伝送遅延を目視で確認することが出来る。
【０１３５】
なお、上記各実施の形態に記載した手法は、コンピュータに実行させることの出来るプログラムとして、磁気ディスク（フロッピーディスク、ハードディスクなど）、光ディスク（ＣＤ−ＲＯＭ、ＤＶＤなど）、光磁気ディスク（ＭＯ）、半導体メモリなどの記録媒体に格納して頒布することができる。
【０１３６】
なお、上記各実施の形態に記載した手法を実現するプログラムは、通信ネットワーク、例えばインターネット又はイントラネット若しくはイーサーネットを介して送信することによって提供することも出来る。
【０１３７】
この通信ネットワークを介したプログラムの提供方法としては、例えば、ＡＳＰ（Ａｐｐｌｉｃａｔｉｏｎ  Ｓｅｒｖｉｃｅ  Ｐｒｏｖｉｄｅｒ）によるものを包含する。
【０１３８】
また、プログラムは、上記の機能を実現するものであれば、例えば、Ｃ（登録商標）、Ｃ＋＋（登録商標）、又はＪＡＶＡ（登録商標）等、どのようなプログラミング言語で記載されたものであっても良い。
【０１３９】
なお、本発明は、上記各実施の形態に限定されるものでなく、実施段階ではその要旨を逸脱しない範囲で、種々に変形することが可能である。
【０１４０】
また、各実施の形態は、可能な限り適宜組み合わせて実施してもよく、その場合、組み合わされた効果が得られる。更に、上記各実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【０１４１】
その他、本発明は、その要旨を逸脱しない範囲で種々変形して実施できる。
【０１４２】
【発明の効果】
以上説明したように本発明によれば、通信ネットワークの伝送状態を示す指標値を、各チャネルと関連付けて目視で確認することを可能にする伝送状態表示装置を提供出来る。
【図面の簡単な説明】
【図１】第１の実施の形態に係る伝送状態表示装置１の構成例を示すブロック図。
【図２】ＳＤＨで伝送される一般的なフレームであるＳＴＭ−１の構成を示す模式図。
【図３】ＳＤＨで伝送される一般的な仮想コンテナであるＶＣ−３の構成を示す模式図。
【図４】ＳＤＨで伝送される一般的な仮想コンテナであるＶＣ−４の構成を示す模式図。
【図５】本実施の形態の伝送状態表示装置１の接続関係の概要を示す模式図。
【図６】第１の実施の形態に係る伝送状態表示装置１の制御部１Ｈ１の動作を説明するためのフローチャート。
【図７】第１の実施の形態に係る伝送状態表示装置１の表示画面の一例を示す模式図。
【図８】第１の実施の形態に係る伝送状態表示装置１の表示画面の他の一例を示す模式図。
【図９】第２の実施の形態に係る伝送状態表示装置１´の構成例を示す機能ブロック図。
【図１０】第２の実施の形態に係る伝送状態表示装置１´の制御部１Ｈ２の動作を説明するフローチャート。
【図１１】第２の実施の形態に係る伝送状態表示装置１´の表示画面の一例を示す模式図。
【図１２】第２の実施の形態に係る伝送状態表示装置１´の表示画面の他の一例を示す模式図。
【符号の説明】
１、１´…伝送状態表示装置、１Ａ１〜１Ａｎ…フレーム受信部、１Ｂ１〜１Ｂｎ…クロック再生部、１Ｃ１、１Ｃ２…局内クロック分配部、１Ｄ１、１Ｄ２…フレーム組立部、１Ｅ１、１Ｅ２…Ｈ１・Ｈ２バイト検出部、１Ｆ…Ｈ１・Ｈ２バイト管理情報記憶部、１Ｇ１、１Ｇ２…データ入力部、１Ｈ１、１Ｈ２…制御部、１Ｉ…表示部、２…ＳＤＨ送信装置、３…通信ネットワーク、１Ｊ…フレーム変換部、１Ｋ…Ｈ４バイト検出部、１Ｌ…Ｈ４バイト管理情報記憶部
【図１】
2004289615.tif 000003
【図２】
2004289615.tif 000004
【図３】
2004289615.tif 000005
【図４】
2004289615.tif 000006
【図５】
2004289615.tif 000007
【図６】
2004289615.tif 000008
【図７】
2004289615.tif 000009
【図８】
2004289615.tif 000010
【図９】
2004289615.tif 000011
【図１０】
2004289615.tif 000012
【図１１】
2004289615.tif 000013
【図１２】
2004289615.tif 000014